(57)【要約】【課題】通常の表装パネルを撓みが生じることなく表面に固定でき、現場による作業効率も向上できる内装下地構造の提供。【解決手段】第１のレール部材34及び第２のレール部材36と、標準パネル10と、繋ぎパネル20を備え、標準パネル10は、一対の縦フレーム材12と、複数の横桟14と、複数の縦桟16を備え、繋ぎパネル20は、複数の横桟24と、複数の縦桟26を備え、標準パネル10の最上段の横桟16を第１のレール部材34の凹溝に嵌合させると共に、最下段の横桟16を第２のレール部材36の凹溝に嵌合させ、繋ぎパネル20の最上段の横桟24を第１のレール部材34の凹溝に嵌合させると共に、最下段の横桟24を第２のレール部材36の凹溝に嵌合させ、さらに各横桟24の左右両端を各標準パネル10の縦フレーム材12の外側面に形成された凹溝内に嵌合させた内装下地構造。【選択図】図８
2010019075.tif 000002
【特許請求の範囲】
【請求項１】
躯体内の任意の位置に配置固定され、ガイド溝を形成する第１のレール部材と、
上記第１のレール部材に対して、所定の距離を隔てて平行に配置固定され、この第１のレール部材のガイド溝と対応するガイド溝を形成する第２のレール部材と、
各ガイド溝間に装着される複数の標準パネルと、
各ガイド溝間に装着される１または複数の繋ぎパネルを備え、
上記標準パネルは、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備え、
上記繋ぎパネルは、相互に所定の間隔をおいて配置固定された複数の横桟と、各横桟を繋ぐ１または複数の縦桟を備え、
上記標準パネルの最上段に位置する横桟を上記第１のレール部材によって形成されるガイド溝内に嵌合させると共に、同標準パネルの最下段に位置する横桟を上記第２のレール部材によって形成されるガイド溝内に嵌合させることにより、上記標準パネルが各ガイド溝間に装着され、
上記繋ぎパネルの最上段に位置する横桟を上記第１のレール部材によって形成されるガイド溝内に嵌合させると共に、同繋ぎパネルの最下段に位置する横桟を上記第２のレール部材によって形成されるガイド溝内に嵌合させ、さらに各横桟の左右両端の少なくとも一方を、先にレール部材間に装着された標準パネルの縦フレーム材の外側面に形成された凹溝内に嵌合させることにより、上記繋ぎパネルが各ガイド溝間に装着されることを特徴とする内装下地構造。
【請求項２】
上記標準パネルが、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備えた下側標準パネルと、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備えた上側標準パネルとを連結させたものよりなり、
上記繋ぎパネルが、相互に所定の間隔をおいて配置固定された複数の横桟と、各横桟を繋ぐ１または複数の縦桟を備えた下側繋ぎパネルと、相互に所定の間隔をおいて配置固定された複数の横桟と、各横桟を繋ぐ１または複数の縦桟を備えた上側繋ぎパネルとを連結させたものよりなることを特徴とする請求項１に記載の内装下地構造。
【請求項３】
上記標準パネルが、各横桟の一面間を繋ぐ１または複数の縦桟の他に、各横桟の他面間を繋ぐ１または複数の縦桟を備え、
上記繋ぎパネルが、各横桟の一面間を繋ぐ１または複数の縦桟の他に、各横桟の他面間を繋ぐ１または複数の縦桟を備えたことを特徴とする請求項１または２に記載の内装下地構造。
【請求項４】
上記第１のレール部材及び第２のレール部材が、それぞれ同一の曲率で湾曲したものよりなり、
上記標準パネルの横桟及び上記繋ぎパネルの横桟が、それぞれ上記の曲率で湾曲したものよりなることを特徴とする請求項１〜３の何れかに記載の内装下地構造。
【請求項５】
上記第１のレール部材が、複数のレール部材片を連設させたものよりなり、
上記第２のレール部材が、複数のレール部材片を連設させたものよりなることを特徴とする請求項１〜４の何れかに記載の内装下地構造。
【請求項６】
上記複数の標準パネルの中、最右端または最左端に配置された標準パネルの一方の縦フレーム材が、外側面に段部を備えており、
上記繋ぎパネルの各横桟の一方の端部が、上記段部に当接されていることを特徴とする請求項１〜５の何れかに記載の内装下地構造。
【請求項７】
上記第１のレール部材によって形成されるガイド溝と第２のレール部材によって形成されるガイド溝との間に一の標準パネルを装着し、これを左右の一方である始端側に配置させる工程と、
上記第１のレール部材によって形成されるガイド溝と第２のレール部材によって形成されるガイド溝との間に、一方の縦フレーム材の外側面に段部が形成された他の標準パネルを装着し、これを左右の他方である終端側に配置させる工程と、
上記一の標準パネルと他の標準パネルとの間に、それぞれ同寸法を備えた繋ぎパネルと、それぞれ同寸法を備えた標準パネルを順に必要個数装着させる工程と、
最後に装着した標準パネルと上記終端側に配置された標準パネルとの間に、繋ぎパネルの横寸法より短い寸法の空隙が残された場合に、上記繋ぎパネルの各横桟を必要量切断し、横幅寸法を調整する工程と、
この横幅寸法を調整した繋ぎパネルの各横桟の一方の端部を、最後に装着された標準パネルの縦フレーム材の外側面に形成された凹溝内に嵌合させる工程と、
この繋ぎパネルの各横桟の他方の端部を、終端側に配置された標準パネルの縦フレーム材に形成された上記段部に当接させる工程と、
各横桟の端部上に補強用の縦桟をあてがい、両者間を固定する工程と、
からなる内装下地構造の形成方法。
【請求項８】
複数の標準ボードを所定の間隙をおいて配置し、各標準ボード間に繋ぎボードを配置させた床用の内装下地構造であって、
上記標準ボードは、所定の間隔をおいて平行に配置された一対の根太と、各根太の上面に配置固定された平板とからなり、
各根太の裏面には、複数の支持脚が取り付けられており、
各根太の上面には、平板で覆われていないマージン部が形成されており、
このマージン部に上記の繋ぎボードが載置され、所定の係合手段によって固定されていることを特徴とする床用の内装下地構造。
【発明の詳細な説明】
【技術分野】
【０００１】
この発明は、コンクリート建物の躯体内に、石膏ボード等の表装パネルを設置するための内装下地構造を形成する技術に関する。
【背景技術】
【０００２】
建物の主要構造部を鉄筋コンクリートで形成する集合住宅においては、コンクリート壁の表面側に複数の表装パネルを並設し、表装壁を構築する場合がある。複数の表装パネルを並設して表装壁を構築する際の下地構造としては、例えば下記の特許文献１のように、躯体壁の上下の天井及び床にその壁面と平行にそれぞれランナーを設けて、各ランナー間に複数の表装パネルを固定し、表装パネルの背面側に設けた縦方向のリブを、間隔調整部材を介して躯体壁に固定する構造が従来から知られている。
【特許文献１】特開平５−１４１０６５
【発明の開示】
【発明が解決しようとする課題】
【０００３】
この特許文献１に記載の技術によれば、現場で木軸を格子状に組み立てる作業が不要となる利点がある。
しかしながら、この特許文献１の施工方法では、表装パネルのリブが縦方向にのみ設けられているため、表装パネルに横方向の撓みが生じ易かった。また、表装パネルの背面にリブを設けるような加工を施す必要があり、通常の平板状の表装パネルをそのまま用いることができなかった。
また、当然ながら表装壁以外の、例えば天井や床用の内装下地構造には適用できなかった。
【０００４】
そこで、本発明は、通常の表装パネルを撓みが生じることなく表面に固定することができ、しかも現場による作業効率を向上できる内装下地構造を提供することを第１の目的とする。また本発明は、表装壁以外の部位に対しても適用可能な内装下地構造を提供することを第２の目的としている。
【課題を解決するための手段】
【０００５】
上記の目的を達成するため、請求項１に記載の内装下地構造は、躯体内の任意の位置に配置固定され、ガイド溝を形成する第１のレール部材と、上記第１のレール部材に対して、所定の距離を隔てて平行に配置固定され、この第１のレール部材のガイド溝と対応するガイド溝を形成するための第２のレール部材と、各ガイド溝間に装着される複数の標準パネルと、各ガイド溝間に装着される１または複数の繋ぎパネルを備え、上記標準パネルは、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備え、上記繋ぎパネルは、相互に所定の間隔をおいて配置固定された複数の横桟と、各横桟を繋ぐ１または複数の縦桟を備え、上記標準パネルの最上段に位置する横桟を上記第１のレール部材によって形成されるガイド溝内に嵌合させると共に、同標準パネルの最下段に位置する横桟を上記第２のレール部材によって形成されるガイド溝内に嵌合させることにより、上記標準パネルが各ガイド溝間に装着され、上記繋ぎパネルの最上段に位置する横桟を上記第１のレール部材によって形成されるガイド溝内に嵌合させると共に、同繋ぎパネルの最下段に位置する横桟を上記第２のレール部材によって形成されるガイド溝内に嵌合させ、さらに各横桟の左右両端の少なくとも一方を、先にレール部材間に装着された標準パネルの縦フレーム材の外側面に形成された凹溝内に嵌合させることにより、上記繋ぎパネルが各ガイド溝間に装着されることを特徴としている。
【０００６】
請求項２に記載の内装下地構造は、請求項１の内装下地構造であって、さらに、上記標準パネルが、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備えた下側標準パネルと、平行に配置された一対の縦フレーム材と、各縦フレーム材の内側面に形成された凹溝内に左右両端が嵌合され、相互に所定の間隔をおいて配置固定された複数の横桟と、各横桟の一面間を繋ぐ１または複数の縦桟とを備えた上側標準パネルとを連結させたものよりなり、上記繋ぎパネルが、相互に所定の間隔をおいて配置固定された複数の横桟と、各横桟を繋ぐ１または複数の縦桟を備えた下側繋ぎパネルと、相互に所定の間隔をおいて配置固定された複数の横桟と、各横桟を繋ぐ１または複数の縦桟を備えた上側繋ぎパネルとを連結させたものよりなることを特徴としている。
【０００７】
請求項３に記載の内装下地構造は、請求項１または２の内装下地構造であって、さらに、上記標準パネルが、各横桟の一面間を繋ぐ１または複数の縦桟の他に、各横桟の他面間を繋ぐ１または複数の縦桟を備え、上記繋ぎパネルが、各横桟の一面間を繋ぐ１または複数の縦桟の他に、各横桟の他面間を繋ぐ１または複数の縦桟を備えたことを特徴としている。
【０００８】
請求項４に記載の内装下地構造は、請求項１〜３に記載の内装下地構造であって、さらに、上記第１のレール部材及び第２のレール部材が、それぞれ同一の曲率で湾曲したものよりなり、上記標準パネルの横桟及び上記繋ぎパネルの横桟が、それぞれ上記の曲率で湾曲したものよりなることを特徴としている。
【０００９】
請求項５に記載の内装下地構造は、請求項１〜４に記載の内装下地構造であって、さらに、上記第１のレール部材が、複数のレール部材片を連設させたものよりなり、上記第２のレール部材が、複数のレール部材片を連設させたものよりなることを特徴としている。
【００１０】
請求項６に記載の内装下地構造は、請求項１〜５に記載の内装下地構造であって、さらに、上記複数の標準パネルの中、最右端または最左端に配置された標準パネルの一方の縦フレーム材が、外側面に段部を備えており、上記繋ぎパネルの各横桟の一方の端部が、上記段部に当接されていることを特徴としている。
【００１１】
請求項７に記載の内装下地構造の形成方法は、上記第１のレール部材によって形成されるガイド溝と第２のレール部材によって形成されるガイド溝との間に一の標準パネルを装着し、これを左右の一方である始端側に配置させる工程と、上記第１のレール部材によって形成されるガイド溝と第２のレール部材によって形成されるガイド溝との間に、一方の縦フレーム材の外側面に段部が形成された他の標準パネルを装着し、これを左右の他方である終端側に配置させる工程と、上記一の標準パネルと他の標準パネルとの間に、それぞれ同寸法を備えた繋ぎパネルと、それぞれ同寸法を備えた標準パネルを順に必要個数装着させる工程と、最後に装着した標準パネルと上記終端側に配置された標準パネルとの間に、繋ぎパネルの横寸法より短い寸法の空隙が残された場合に、上記繋ぎパネルの各横桟を必要量切断し、横幅寸法を調整する工程と、この横幅寸法を調整した繋ぎパネルの各横桟の一方の端部を、最後に装着された標準パネルの縦フレーム材の外側面に形成された凹溝内に嵌合させる工程と、この繋ぎパネルの各横桟の他方の端部を、終端側に配置された標準パネルの縦フレーム材に形成された上記段部に当接させる工程と、各横桟の端部上に補強用の縦桟をあてがい、両者間を固定する工程とからなることを特徴としている。
【００１２】
請求項８に記載の内装下地構造は、複数の標準ボードを所定の間隙をおいて配置し、各標準ボード間に繋ぎボードを配置させた床用の内装下地構造であって、上記標準ボードは、所定の間隔をおいて平行に配置された一対の根太と、各根太の上面に配置固定された平板とからなり、各根太の裏面には、複数の支持脚が取り付けられており、各根太の上面には、平板で覆われていないマージン部が形成されており、このマージン部に上記の繋ぎボードが載置され、所定の係合手段によって固定されていることを特徴としている。
【発明の効果】
【００１３】
請求項１に記載の内装下地構造は、第１のレール部材と第２のレール部材によるガイド溝間に必要枚数の標準パネルと繋ぎパネルを順に装着することによって構成されるため、標準パネル及び繋ぎパネルを工場で予め製造しておくことで、現場での作り込み作業を最小限に抑えることができる。
しかも、標準パネル及び繋ぎパネルは、それぞれ横桟及び縦桟を備えているため、形成される内装下地構造は格子状の構造を備えており、縦方向及び横方向に撓みが生じることがない。
そして、上記縦桟及び縦フレーム材の表面が面一になるように各部の寸法を設定しておけば、通常の平板状の表装パネルを下地構造に貼り付けることが可能となる。
【００１４】
請求項２に記載の内装下地構造は、標準パネルが下側標準パネルと上側標準パネルを連結することによって形成されると共に、繋ぎパネルも下側繋ぎパネルと上側繋ぎパネルを連結することによって形成されるため、工場から現場までの搬送（特にエレベータでの移動）を容易にすることができる。
【００１５】
請求項３に記載の内装下地構造は、標準パネル及び繋ぎパネルの各横桟の両面に縦桟が配置固定されているため、内装下地構造の表面及び裏面に表装パネルを貼り付けることが可能となる。このため、この発明を間仕切り壁用の下地構造に適用可能となる。
【００１６】
請求項４に記載の内装下地構造によれば、湾曲した内装壁面を容易に構築可能となる。
【００１７】
請求項７に記載の内装下地構造の形成方法によれば、規格化された標準パネル及び繋ぎパネルを基本として用いつつも、現場において横寸法の短い「あまり」の空隙が生じた場合には、繋ぎパネルの横桟を切除することで柔軟に対応可能となる。
【００１８】
請求項８に記載の内装下地構造にあっては、複数の標準ボード間に繋ぎボードを載置して固定することによって床用内装下地構造の基本が形成されるため、現場での作業効率を高めることが可能となる。また、標準ボードにの根太には予め支持脚が取り付けられているため、現場で一々支持脚を取り付ける作業を極力排除することができる。しかも、各標準ボードは一対の根太を備えているため、床用内装下地構造の剛性自体を飛躍的に高めることが可能となる。
【発明を実施するための最良の形態】
【００１９】
図１は、この発明に係る標準パネル10の前面を示すものであり、一対の縦フレーム材12と、５本の横桟14と、２本の縦桟16を備えている。図２は図１のＡ−Ａ断面図であり、図３はＢ−Ｂ断面図、図４はＣ−Ｃ断面図である。
【００２０】
図４に示すように、縦フレーム材12は、内側面及び外側面にそれぞれ凹溝12a,12bが形成された、断面エ字形状を備えている。この縦フレーム材12は、例えば廃木材を再生加工した硬質合成木材よりなる。
【００２１】
図１〜３に示すように、各横桟14は平板よりなり、それぞれの左右両端部が各縦フレーム材12の内側面に形成された凹溝12b内に挿入されている。各横桟14間には、所定の間隔が設けられている。各横桟14の中、最上段に位置する横桟14は、他の横桟14に比べて幅が広く設定されている。
【００２２】
各縦桟16は長尺な平板よりなり、各横桟14を繋ぐように配置されている。各縦桟16と縦フレーム材12との間、及び各縦桟16,16間には、所定の間隔が設けられている。
【００２３】
各縦桟16と横桟14との交差部αは、タッカまたはビスによって固定されている。この結果、各横桟14及び各縦桟16が一体化されている。
ただし、横桟14の中、最上段に位置する横桟14と縦桟16の上端部との接触部β、及び最下段に位置する横桟14と縦桟16の下端部との接触部γについては、工場出荷時にビス等によって仮止めされており、現場において取り外される。この結果、図５に示すように、最上段の横桟14及び最下段の横桟14は、一対の縦フレーム材12,12間において、スライド可能となる。
【００２４】
図６は、この発明に係る繋ぎパネル20の前面を示すものであり、５本の横桟24と、２本の縦桟26を備えている。
【００２５】
上記と同様、各横桟24は平板よりなり、相互に所定の間隔が設けられている。また、各横桟24の中、最上段に位置する横桟24は、他の横桟24に比べて幅が広く設定されている。
【００２６】
各縦桟26も、上記と同様、長尺な平板よりなり、各横桟14にを繋ぐように配置されている。各縦桟16間には、所定の間隔が設けられている。
【００２７】
各縦桟26と横桟24との交差部αは、タッカまたはビスによって固定されている。この結果、各横桟24及び各縦桟26が一体化されている。なお、横桟24の中、最上段に位置する横桟24と縦桟26の上端部との接触部β、及び最下段に位置する横桟24と縦桟26の下端部との接触部γは、工場出荷時にはビス等によって仮止めされており、現場において取り外される。
【００２８】
上記より明らかなように、繋ぎパネル20は、標準パネル10から一対の縦フレーム材12,12を取り除いた構成を備えている。
【００２９】
つぎに、上記の標準パネル10及び繋ぎパネル20を用いて、表装壁用の下地構造の形成方法について説明する。
まず、図７に示すように、コンクリート躯体の天井面30及び床面32に、それぞれ断面コ字状の第１のレール部材34及び第２のレール部材36を、ビス38によって固定する。この際、各レール部材34,36の凹溝（ガイド溝）34a,36a同士が平行となるように、各レール部材34,36は位置決めされる。
【００３０】
つぎに、図８に示すように、各レール部材34,36間に標準パネル10の縦フレーム材12及び縦桟16を嵌め入れる。この際、標準パネル10の縦フレーム材12及び縦桟16の寸法が長すぎてつかえるようであれば、その場でそれぞれの端部を必要量切除し、寸法を調整する。
この状態においては、縦フレーム材12及び縦桟16の両端は各レール部材34,36の頂面に接しているだけであり、レール部材34,36の凹溝34a,36a内には何も挿入されていない。
【００３１】
１枚目の標準パネル10は、図中の左方向に移動される。図９に示すように、躯体の左側面40には断面Ｔ字状の棒材（以下「Ｔバー42」）が配置固定されており、標準パネル10が左方向に移動すると、縦フレーム材12の外側面に形成された凹溝12aにこのＴバー42の凸部が嵌合される。
【００３２】
つぎに、標準パネル10の最上段に位置する横桟14を天井面30の方向にスライドさせると共に、最下段に位置する横桟14を床面32の方向にスライドさせる。この結果、最上段の横桟14が第１のレール部材34の凹溝34aに挿入されると共に、最下段の横桟14が第２のレール部材36の凹溝36aに挿入される。
この状態において、最上段の横桟14と各縦桟16との接触部βをタッカまたはビスによって固定すると共に、最下段の横桟14と各縦桟16との接触部γをタッカまたはビスによって固定する。
このように、標準パネル10の最上段及び最下段の横桟14を第１のレール部材34及び第２のレール部材36の凹溝内に嵌合させた状態で固定することにより、標準パネル10をレール部材34,36間に強固かつ容易に装着することが可能となる。
【００３３】
つぎに、この標準パネル10の縦フレーム材12の凹溝12aに繋ぎパネル20の各横桟24の左端部を挿入すると同時に、最上段の横桟24を天井面30の方向にスライドさせ、第１のレール部材34の凹溝34a内に挿入させる。同時に、最下段の横桟24を床面32の方向にスライドさせ、第２のレール部材36の凹溝36a内に挿入させる。
この状態において、最上段の横桟24と各縦桟26との接触部βをタッカまたはビスによって固定すると共に、最下段の横桟24と各縦桟26との接触部γをタッカまたはビスによって固定する。
このように、繋ぎパネル20の最上段及び最下段の横桟24を第１のレール部材34及び第２のレール部材36の凹溝内に嵌合させた状態で固定することにより、繋ぎパネル20をレール部材34,36間に強固かつ容易に装着することが可能となる。
【００３４】
つぎに、各レール部材34,36間に２枚目の標準パネル10の縦フレーム材12及び縦桟16を嵌め入れ、左方向に移動させる。この結果、標準パネル10の左側縦フレーム材12の凹溝12a内に、繋ぎパネル20の各横桟24の右端部が挿入される。
つぎに、標準パネル10の最上段に位置する横桟14を天井面30の方向にスライドさせると共に、最下段に位置する横桟14を床面32の方向にスライドさせる。この結果、最上段の横桟14が第１のレール部材34の凹溝34aに挿入されると共に、最下段の横桟14が第２のレール部材36の凹溝36aに挿入される。
つぎに、最上段の横桟14と各縦桟16との接触部βがタッカまたはビスによって固定されると共に、最下段の横桟14と各縦桟16との接触部γがタッカまたはビスによって固定される。
【００３５】
以上の工程を必要回数繰り返すことにより、標準パネル10、繋ぎパネル20、標準パネル10…が順に配置された表装壁用の下地構造が形成されていく。
つぎに、図１０に示すように、躯体の右側面44に最後の標準パネル10を上記と同様の手順を踏んで装着する。図１１に示すように、この最後の標準パネル10の左側縦フレーム材12は、凹溝の前面側縁部が切り欠かれた結果、背面側縁部よりなる段部12cが外側面に形成された、断面ユ字形状を備えている。
【００３６】
つぎに、標準パネル10,10間に形成された隙間50に、最後の繋ぎパネル20を嵌め込む。この際、上記隙間50の横幅寸法が本来の繋ぎパネル20の横幅寸法よりも短い場合には、各横桟24の左右何れかの端部を現場で必要量切除し、寸法を調整する。
その後、図１１に示すように、繋ぎパネル20の各横桟24の左端部を標準パネル10の右側縦フレーム材12の凹溝12a内に嵌装させた後、各横桟24の右端部を最後の標準パネル10の左側縦フレーム材12に向けて被せる。上記のように、最後の標準パネル10の左側縦フレーム材12は断面ユ字形状をしており、前面側縁部が切り欠かれているため、各横桟24の右端は左側縦フレーム材12の段部12c上に当接される。
【００３７】
その後、図１２に示すように、繋ぎパネル20の各横桟24の右端部上に補強用縦桟52が載置され、タッカまたはビスによって各横桟24固定される。この補強用縦桟52は、縦桟26と同様の長さを備えており、各横桟24の右端を繋ぐ機能を発揮する。
【００３８】
以上の結果、基本的に標準パネル10及び繋ぎパネル20の２種類の規格化された部材を現場で交互に配置していくことにより、表装壁の下地構造が形成される。すなわち、現場における作業は簡単な寸法合わせのための切断のみで済むため、特別な熟練を必要としない利点がある。
【００３９】
図１２より明らかなように、標準パネル10の縦フレーム材12の表面、縦桟16の表面、及び繋ぎパネル20の縦桟26の表面が、それぞれ同一直線上に並ぶように（面一となるように）各部材の寸法が設定されている。
このため、上記縦桟16,26の表面及び縦フレーム材12の表面に、石膏ボード等の表装パネルを貼り付けることにより、表装壁が完成する。
【００４０】
以上は表装壁用の下地構造を形成する際の説明であったが、ほぼ同じ工程によって間仕切り壁用の下地構造を形成することもできる。ただし、この場合には図１３に示すように、各横桟14の表面側及び背面側にそれぞれ縦桟16を配置させた標準パネル10と、同じく横桟24の表面側及び背面側にそれぞれ縦桟26を配置させた及び繋ぎパネル20を用いる。
そして、形成された間仕切り壁用の下地構造54の表面及び背面に配置された縦桟16,26の表面及び縦フレーム材12の両面に、石膏ボード等の表装パネル56,56をそれぞれ貼り付けることにより、間仕切り壁が完成する。
【００４１】
図１４は、上下分割式の標準パネル10を示しており、下側標準パネル60と、上側標準パネル62を事前に工場内で製作して現場に搬送し、その場で両者を連結して標準パネル10を完成させるものである。
【００４２】
下側標準パネル60は、一対の縦フレーム材12の凹溝12b,12b間に４本の横桟14を配置固定させると共に、２本の縦桟16によって各横桟14の表面を繋いだ形状を備えている。各縦フレーム材12は、各縦桟16よりも長い寸法を備えている。また、最上段の横桟14は他の横桟14よりも幅広に形成されており、各縦桟16の先端部が接触しない余白部分63を備えている。
【００４３】
また、上側標準パネル62は、一対の縦フレーム材12の凹溝12b,12b間に２本の横桟14を配置固定させると共に、２本の縦桟16によって各横桟14の表面を繋いだ形状を備えている。各縦桟16は、各縦フレーム材12よりも長い寸法を備えている。また、下段に位置する横桟14は、幅寸法が上段の横桟14よりも広く、左右両端の上部のみが縦フレーム材12の凹溝12b,12b内に挿入され、下部64は露出している。
【００４４】
上側標準パネル62の下段に位置する横桟14の両端下部64,64を、下側標準パネル60の縦フレーム材12に形成された凹溝12b内に挿入させ、同時に上側標準パネル62の縦桟16の下端部を下側標準パネル60の最上段の横桟14の表面（余白部分63）にタッカまたはビスによって固定することにより、図１５に示すように、下側標準パネル60と上側標準パネル62とが一体化され、標準パネル10が完成する。
【００４５】
上側標準パネル62の上段の横桟14及び下側標準パネル60の最下段の横桟14は、それぞれ縦桟16に対してビス等で仮止めされた状態で現場に搬入され、上側標準パネル62と下側標準パネル60との一体化が完了した後に、仮止めが解除される。この結果、一体化された標準パネル10の最上段に位置する横桟14と、最下段に位置する横桟14は、上記と同様、上下にスライド可能となる。
【００４６】
図１６は、上下分割式の繋ぎパネル20を示しており、下側繋ぎパネル65と、上側繋ぎパネル66を事前に工場内で製作して現場に搬送し、その場で接合して繋ぎパネル20を完成させるものである。
【００４７】
下側繋ぎパネル65は、所定の間隔をおいて配置された４本の横桟14の表面を、２本の縦桟16によって繋いだ形状を備えている。最上段の横桟14は他の横桟14よりも幅広に形成されており、各縦桟16の先端部が接触しない余白部分67を備えている。
【００４８】
また、上側繋ぎパネル66は、２本の横桟14を所定の間隔をおいて配置させると共に、２本の縦桟16によって各横桟14の表面を繋いだ形状を備えている。各縦桟16の下端部は、下段の横桟14から大きく下側に突き出している。
【００４９】
上側繋ぎパネル66の各縦桟26の下端部を、下側繋ぎパネル65の最上段の横桟24の表面（余白部分67）にタッカまたはビスによって固定することにより、下側繋ぎパネル65と上側繋ぎパネル66とが一体化される。
【００５０】
上記のように、標準パネル10を下側標準パネル60と上側標準パネル62とを一体化させることによって形成すると共に、繋ぎパネル20を下側繋ぎパネル65と上側繋ぎパネル66とを一体化させることによって形成することにより、縦寸法の比較的大きな下地構造を容易に構築することが可能となる。
【００５１】
もちろん、この発明に係る標準パネル10及び繋ぎパネル20に関しては、特に寸法上の限定はないが、エレベーターによる搬入の容易さを勘案すると、各部材の高さを１８０cm前後に納めることが望ましい。したがって、２ｍを超えるような高さの下地構造を構築する場合には、上記のように上下分離方式の標準パネル10及び繋ぎパネル20を採用することが有利である。
【００５２】
上記においては、この発明を表装壁用の下地構造の形成及び間仕切り壁用の下地構造の形成に適用する例を示したが、天井用の下地構造の形成に応用することもできる。
図１７はその一例を示すものであり、躯体壁面70の上部に第１のレール部材34を配置固定させると共に、躯体天井面30から第２のレール部材36を吊り下げ固定し、その間に標準パネル10と繋ぎパネル20を上記と同様の要領で交互に装着していくことで、天井用の下地構造71が形成される様子が描かれている。
【００５３】
図１８は、第２のレール部材36が躯体天井面30に吊り下げ固定された状態を示すものであり、躯体天井面30に接合された補強板72と第２のレール部材36の上面とが、吊り金具73を介して接続されている。
【００５４】
第２のレール部材36は、ここでは左側面及び右側面に凹溝36a及び36bを備えた断面エ字形状を備えており、一方の凹溝36aに標準パネル10及び繋ぎパネル20の縦桟16,26が挿入されると共に、他方の凹溝36bにも、別の標準パネル10及び繋ぎパネル20の縦桟16,26が挿入される。
このように、左右に凹溝36a,36bを備えた第２のレール部材36を躯体の天井面30から必要本数吊り下げることにより、比較的広い面積の天井用下地構造であっても、規格化された標準パネル10及び繋ぎパネル20をマトリクス状に多数組み込むことにより、容易に形成することが可能となる。
【００５５】
第１のレール部材34及び第２のレール部材36を、上記のように一体化された部材によって構成してもよいが、複数の分割されたレール部材片を用意しておき、現場においてこれらを組み合わせて比較的長尺のレール部材を構成することもできる（図示省略）。この場合、各レール部材片の間に所定の隙間を形成することもできる。
【００５６】
上記においては、標準パネル10及び繋ぎパネル20を交互に必要個数組み合わせていくことにより、平面上の下地構造を構築する例を説明したが、この発明はこれに限定されるものではない。
すなわち、図示は省略したが、第１のレール部材及び第２のレール部材として所定の曲率で湾曲した形状のものを採用することにより、湾曲面の下地構造を形成することもできる。この場合、同じ曲率で湾曲した横桟14,24を備えた標準パネル10及び繋ぎパネル20を用いるべきことは言うまでもない。
【００５７】
上記においては、標準パネル10として２本の縦桟16を備えたものを例示し、繋ぎパネル20として２本の縦桟26を備えたものを例示したが、この発明はこれに限定されるものではない。
例えば、図１９に示すように、１本の縦桟16を備えた比較的幅の狭い標準パネル10を採用し、また図２０に示すように、１本の縦桟26を備えた比較的幅の狭い繋ぎパネルを20を採用することも当然に可能である。
あるいは逆に、３本以上の縦桟16を備えた比較的幅の広い標準パネル16と、同じく３本以上の縦桟26を備えた比較的幅の広い繋ぎパネル26を用いて表装壁や間仕切り壁、天井用の下地構造を形成することもできる。
【００５８】
図７においては、第１のレール部材34及び第２のレール部材36として、それぞれ凹溝34a、36aを備えた断面コ字状のものを例示したが、この発明はこれに限定されるものではない。
例えば、図２１に示すように、表装壁用の下地構造を形成するに際し、第１のレール部材34として、断面Ｌ字状のものを採用してもよい。この場合、縦フレーム材12の背面には躯体の壁面74が存在しているため、Ｌ字状の第１のレール部材34の縁部と壁面74との間に凹溝（ガイド溝）34bが形成されることとなる。なお、図中の符号75は、縦フレーム材12と壁面74との間に装着されたスペーサを表している。
【００５９】
図示は省略したが、上記の標準パネル16や繋ぎパネル26、あるいは断面コ字状、断面Ｔ字状、断面エ字状、断面ユ字状をなした各種棒材を用い、現場において必要に応じて切断加工を施すことにより、隅部、柱部、梁部等に対する内装下地構造を形成することもできる。
上記のように、標準パネルや繋ぎパネルは、縦桟や横桟を予め組み合わせた基本構造を備えているため、現場において若干の寸法調整を行うことにより、極めて効率的に局所的な内装下地構造を形成できる利点が生じる。
【００６０】
つぎに、図２２〜図２５に従い、床用の内装下地構造について説明する。
まず、床用の内装下地構造の場合、図２２に示すように、標準ボード76が構造の中心部材となる。この標準ボード76は、長方形状の平板77と、その両長辺にビスまたはタッカ等によって接合された丈夫な角材よりなる根太78とを備えている。
図示の通り、平板77の上端辺77aが各根太78の上端78aよりも上に出っ張ると共に、平板77の下端辺77bが各根太78の下端78bよりも上に引っ込んでいるため、各根太78の表面には、平板77と接触しない下端側マージン部79が形成されている。
また、平板77の左端辺77c及び右端辺77dは、各根太78の表面の中間線に沿うように配置されているため、各根太78の中心線よりも外側部分にも長尺な左端側マージン部80と右端側マージン部81が形成されている。
【００６１】
図２３に示すように、各根太78には、３本の支持脚82が所定の間隔をおいて取り付けられている。各根太78には３箇所の貫通孔が形成されており、その中にアジャスタ金物が埋設されている（図示省略）。そして、このアジャスタ金物のネジ孔に支持脚82のネジ部を螺合させることにより、各支持脚82は根太78に対して突出量可変となるように取り付けられている。なお、支持脚82の数は３本に限定されるものではなく、必要に応じて数を増やすこともできる。
【００６２】
図２４に示すように、床用の内装下地構造を形成するには、まず複数の標準ボード76を所定の間隔をおいて躯体床面83上に載置していく。この際、事前に各標準ボード76の複数の支持脚82をそれぞれ必要方向に必要量回転させ、高さの調整（レベル調整）を行っておく。
つぎに、各標準ボード76の間に、平板77と同じ寸法形状を備えた平板よりなる繋ぎボード84を載置し、各標準ボード76の根太78の表面に表れた左端側マージン部80及び右端側マージン部81にビスまたはタッカによって固定する。
躯体床面83の左端側に位置する標準ボード76の根太78の左端側マージン部80には、帯板86が載置され、ビスまたはタッカによって固定される。
【００６３】
基本的には、躯体床面83の左端と右端から標準ボード76及び繋ぎボード84を交互に配置していき、最後の標準ボード76,76間に繋ぎボード84の標準的な横幅よりも狭い間隙あるいは広い間隙が残された場合には、現場で平板を適宜切断し、上記の間隙を埋めればよい。
【００６４】
上記のようにして、定型的な標準ボード76と繋ぎボード84を交互に一列に配置し終えたら、同様に他の列を形成するように標準ボード76と繋ぎボード84を交互に配置していく。この際、先の列の標準ボード76の下端側マージン部79に後の列の標準ボードの上端辺77a（出っ張り部分）を載置し、両者間をビスまたはタッカによって固定することにより、標準ボード76同士を縦方向（行方向）に連結することが可能となる。
【００６５】
従来、床用の内装下地構造を形成するためには、現場において平板を切り出し、それぞれの平板に支持脚を所定の間隔で多数取り付ける作業が職人に強いられていたため、極めて非効率的であった。
これに対し、この発明に係る下地構造の形成方法によれば、工場において標準ボード76の根太78に必要な支持脚82が取り付けられているため、現場での作業を最小限に抑えることができる。
しかも、各標準ボード76は一対の丈夫な根太78を備えているため、内装下地構造の剛性が飛躍的に高まり、床の撓みを排除できる利点も生じる。
【００６６】
図２５は、エアコン等の配管周りにおける各ボードの配置例を示すものであり、上下に配置された各標準ボード76の下端側マージン部79同士が、所定の間隙を隔てて対向しており、両者の間の間隙に配管87が通されている。
この場合、各標準ボード76の下端側マージン部79間には、比較的小型の平板よりなる複数の蓋部材88が被せられ、ビスまたはタッカによって固定される。
配管87については、その種類に応じて数年あるいは数十年単位で交換する必要が生じるが、上記のように構成しておけば、配管交換時に下地構造を大規模に引き剥がすことなく、蓋部材88のみを取り外せば済むため、住宅のメンテナンス性を大幅に向上させることができる。
【００６７】
この発明に係る各内装下地構造にあっては、何れも床用の下地構造とは独立しているため、リフォーム等によって部屋の間取り等のプランを変更した場合であっても、床用の下地構造に手を加える必要がないという利点を備えている。
【図面の簡単な説明】
【００６８】
【図１】この発明に係る標準パネルを示す平面図である。
【図２】図１のＡ−Ａ断面図である。
【図３】図１のＢ−Ｂ断面図である。
【図４】図１のＣ−Ｃ断面図である。
【図５】標準パネルの最上段の横桟及び最下段の横桟がスライドする様子を示す平面図である。
【図６】この発明に係る繋ぎパネルを示す平面図である。
【図７】第１のレール部材及び第２のレール部材を敷設する様子を示す斜視図である。
【図８】標準パネル及び繋ぎパネルを用いて表装壁用の下地構造を形成する様子を示す説明図である。
【図９】標準パネル及び繋ぎパネルを用いて表装壁用の下地構造を形成する様子を示す断面図である。
【図１０】標準パネル間に形成された隙間に、繋ぎパネルの横幅寸法を調整した上で装着させる様子を示す説明図である。
【図１１】標準パネル間に形成された隙間に、横幅寸法を調整した繋ぎパネルを装着させる様子を示す断面図である。
【図１２】横幅寸法を調整した繋ぎパネルを装着させた後に、補強用縦桟を配置固定する様子を示す断面図である。
【図１３】この発明を間仕切り壁用の下地構造に応用した例を示す断面図である。
【図１４】上下分割式の標準パネルの下側標準パネル及び上側標準パネルを示す平面図である。
【図１５】上下分割式の標準パネルの完成状態を示す平面図である。
【図１６】上下分割式の繋ぎパネルの下側繋ぎパネル及び上側繋ぎパネルを示す平面図である。
【図１７】この発明を天井用の下地構造に応用した例を示す平面図である。
【図１８】第２のレール部材を躯体の天井面から吊り下げた状態を示す断面図である。
【図１９】この発明に係る他の標準パネルを示す平面図である。
【図２０】この発明に係る他の繋ぎパネルを示す平面図である。
【図２１】断面Ｌ字状の第１のレール部材と断面コ字状の第２のレール部材を用いて標準パネルを躯体の壁面に装着した状態を示す断面図である。
【図２２】床用内装下地構造を構成するための標準ボードを示す平面図である。
【図２３】床用内装下地構造を構成するための標準ボードを示す側面図である。
【図２４】床用内装下地構造の形成工程を示す正面図である。
【図２５】床用内装下地構造と配管との関係を示す平面図である。
【符号の説明】
【００６９】
10    標準パネル
12    縦フレーム材
12a    縦フレーム材の外側面の凹溝
12b    縦フレーム材の内側面の凹溝
12c    縦フレーム材の段部
14    標準パネルの横桟
16    標準パネルの縦桟
20    繋ぎパネル
24    繋ぎパネルの横桟
26    繋ぎパネルの縦桟
30    躯体の天井面
32    床面
34    第１のレール部材
34a    第１のレール部材の凹溝
36    第２のレール部材
36a    第２のレール部材の凹溝
36b    第２のレール部材の凹溝
38    ビス
40    左側面
42    Ｔバー
44    右側面
50    隙間
52    補強用縦桟
54    間仕切り壁用の下地構造
56    表装パネル
60    下側標準パネル
62    上側標準パネル
63    余白部分
65    下側繋ぎパネル
66    上側繋ぎパネル
70    躯体壁面
71    天井用の下地構造
74    壁面
76    標準ボード
77    平板
78    根太
79    下端側マージン部
80    左端側マージン部
81    右端側マージン部
82    支持脚
83    躯体床面
84    繋ぎボード
87    配管
88    蓋部材
α    交差部
β    接触部
γ    接触部
【図１】
2010019075.tif 000003
【図２】
2010019075.tif 000004
【図３】
2010019075.tif 000005
【図４】
2010019075.tif 000006
【図５】
2010019075.tif 000007
【図６】
2010019075.tif 000008
【図７】
2010019075.tif 000009
【図８】
2010019075.tif 000010
【図９】
2010019075.tif 000011
【図１０】
2010019075.tif 000012
【図１１】
2010019075.tif 000013
【図１２】
2010019075.tif 000014
【図１３】
2010019075.tif 000015
【図１４】
2010019075.tif 000016
【図１５】
2010019075.tif 000017
【図１６】
2010019075.tif 000018
【図１７】
2010019075.tif 000019
【図１８】
2010019075.tif 000020
【図１９】
2010019075.tif 000021
【図２０】
2010019075.tif 000022
【図２１】
2010019075.tif 000023
【図２２】
2010019075.tif 000024
【図２３】
2010019075.tif 000025
【図２４】
2010019075.tif 000026
【図２５】
2010019075.tif 000027